(57)【特許請求の範囲】
【請求項１】
光源と、取付枠と、前記光源が近接して配置され前記光源からの発光が側面から光入射され上面から光放出させる導光体と、前記光源を内挿して配置する光源配置部と、この導光体の上面に配置され前記導光体の上面からの放出光を光拡散させる光拡散板と、この光拡散板の上面に配置され前記光拡散板によって拡散された光を変更するプリズム板とを備えてなる照明装置において、前記取付枠と前光源配置部は、金属板にプラスチック層を施してなる複合材料で形成されてなる照明装置。
【請求項２】
導光体は一端の厚みが厚く他端の厚みが薄い楔形状のものであり、光源が前記導光体の一端に近接して配置されてなる請求項１記載の照明装置。
【請求項３】
導光体は両端部の厚みが厚く中央部の厚みが薄い形状のものであり、前記両端部に近接して光源が配置されてなる請求項１記載の照明装置。
【請求項４】
導光体は均一の直方体形状のものであり、前記導光体の少なくとも一端に光源が近接配置されてなる請求項１記載の照明装置。
【請求項５】
光源は直管形の蛍光放電管であり、その両端部に取付けられるゴムホルダーを介して光源配置部に挟み付けられて前記光源配置部に保持されてなる請求項１記載の照明装置。
【請求項６】
光源配置部に嵌合穴を設け、前記嵌合穴に嵌合する突起を導光体に設けてなる請求項１に記載の照明装置。
【請求項７】
光源配置部と取付枠は、一体に形成されてなる請求項１に記載の照明装置。
【請求項８】
光源と、取付枠と、前記光源が近接して配置され前記光源からの発光が側面から光入射され上面から光放出させる導光体と、前記光源を内挿して配置する光源配置部と、この導光体の上面に配置され前記導光体の上面からの放出光を光拡散させる光拡散板とを備えてなる照明装置において、前記取付枠と前光源配置部は、金属板にプラスチック層を施してなる複合材料で形成されてなる照明装置。
【請求項９】
導光体は一端の厚みが厚く他端の厚みが薄い楔形状のものであり、光源が前記導光体の一端に近接して配置されてなる請求項８記載の照明装置。
【請求項１０】
導光体は両端部の厚みが厚く中央部の厚みが薄い形状のものであり、前記両端部に近接して光源が配置されてなる請求項８記載の照明装置。
【請求項１１】
導光体は均一の直方体形状のものであり、前記導光体の少なくとも一端に光源が近接配置されてなる請求項８記載の照明装置。
【請求項１２】
光源は直管形の蛍光放電管であり、その両端部に取付けられるゴムホルダーを介して光源配置部に挟み付けられて前記光源配置部に保持されてなる請求項８記載の照明装置。
【請求項１３】
光源配置部に嵌合穴を設け、前記嵌合穴に嵌合する突起を導光体に設けてなる請求項８に記載の照明装置。
【請求項１４】
光源配置部と取付枠は、一体に形成されてなる請求項８に記載の照明装置。
【発明の詳細な説明】
【０００１】
【発明の属する技術分野】
本発明は、画像を表示するのに有用されている液晶表示装置のバックライトとして使用される照明装置に関し、特に、照明装置の構成を簡略化した照明装置に関するものである。
【０００２】
【従来の技術】
近年、液晶表示装置は、パソコン、ワープロ、ビデオカメラ等の画像表示に多用されており、その用途は多岐に及び益々拡大傾向にある。その液晶表示装置の液晶表示素子を照明するための照明装置として、例えば、図８の断面図に示されるものがあり、図において、３７は導光体、３８は導光体３７の下面に設けられ導光体下方より放出される光を導光体に再入射させる光反射部材、３９は光源である例えば直管形の冷陰極蛍光放電管、４０は導光体３７または取付枠４２に取付けられる放電管３９の光反射傘、４１は放電管の両端に取り付けられ光反射傘４０に挟みつけられることによって放電管３９を固定するためのゴムホルダー、４２は取付枠である。装置は、更に導光体３７の上面に配置され導光体の放出光を光拡散する光拡散板１２、光拡散された光を光拡散板の水平面に対して垂直方向に照射するプリズム板１３が配置されてなる。
【０００３】
以上の構成よりなる照明装置は、光源である放電管３９を点灯させることによって、導光体３７の側面より入射された光は、導光体３７の上面に導かれ、更に光拡散板１２を介して、プリズム板１３上方より図示矢印方向に放出されることになる。さて、放電管３９からの発光を効率良くプリズム板１３の上面より放出させるために、光反射傘４０及び取付枠４２の内面には、光反射効率の良い例えばアルミ蒸着を施したり、又は図９に示すように、取付枠４２の内面に例えばポリカーボネート樹脂の板材をプレス成形した光反射部材３８を貼り付けている。
【０００４】
【発明が解決しようとする課題】
上記従来の装置では、放電管の光反射傘内面及び取付枠内部には、光反射の為にアルミ蒸着を施したり、成形した光反射部材を内面に貼り付けたりしている。最近、此の種の照明装置は、使用するパソコンやワープロ等の小型化に伴って益々小型化される傾向にあり、当然光反射部材３８もそれに伴って小さなものを使用することが必要であり、そのような小さな光反射部材３８を取付枠４２や光反射傘４０に貼り付けるために、接着剤を光反射部材３８又は取付枠４２や光反射傘４０の内面に塗布して光反射部材３８を光反射傘４０や取付枠４２に貼り付けており、作業性が非常に悪い問題を有している。
【０００５】
また、光反射部材３８の貼り付けには、接着剤の他に両面テープを用いることも多々あり、光源の光反射傘４０や、図９に示すように取付枠４２の形状に合致するように成形した光反射部材３８を両面テープで貼り付ける際に、ゴミが光反射部材３８と取付枠４２又は光源の光反射傘４０の間に混入して光反射部材３８の表面が凸凹になり光反射に影響が出ることがある。さらに、アルミ等の金属蒸着には、そのための特別な設備が必要であるし、蒸着のための作業も必要になる。光反射部材の貼り付け、又は金属蒸着による光反射層の形成のいずれにしろ、工数がそれだけ要することになり、必然的にコストが高くなる等の問題点を有している。
【０００６】
したがって、本発明は、これらの問題点を改善すべくなしたものであり、構成が簡易で作業性に優れ、安価な照明装置を提供することを目的とする。
【０００７】
【課題を解決するための手段】
本発明の目的を達成するために、照明装置の取付枠および光源を内挿する光源配置部は、金属板にプラスチック層を施してなる複合材を使用するものであり、この複合材を使用することによって、取付枠や光源配置部に光反射部材を貼り付けたり、取付枠や光源配置部に光反射層の金属を蒸着したりする必要がなくなり、作業性が改善されると共に、それらの作業を無くすることで安価な照明装置を提供するものである。
【０００８】
【発明の実施の形態】
本発明の請求項１に記載の発明は、導光体の上面に光拡散板とプリズム板を載置してなる照明装置の取付枠と光源配置部の材料として、金属板にプラスチック層を施してなる複合材料を用いたものであり、組立に際して取付枠や光源配置部の内面に光反射部材を貼り付けたり光反射層を施す必要がなく作業性の良い、安価な照明装置を提供できる。
【０００９】
本発明の請求項２に記載の発明は、請求項１の発明の導光体に楔形状のものを用いたもので、この形状の導光体であっても作業性の良い照明装置を提供することができる。
【００１０】
本発明の請求項３に記載の発明は、請求項１の発明の導光体に、両端部の肉厚が厚く中央部の肉厚が薄い形状のものを使用してなるもので、この形状の導光体であっても作業性の良い照明装置を提供することが出来る。
【００１１】
本発明の請求項４に記載の発明は、請求項１の発明の導光体に、均一の厚みの直方体形状のものを使用し、その少なくとも一端に光源を近接配置してなるものであり、この形状の導光体であっても作業性の良い照明装置を提供することができるものである。
【００１２】
本発明の請求項５に記載の発明は、請求項１の発明の光源が直管形の放電管であり、その両端部に取付けられるゴムホルダーを介して光源配置部に放電管を挟み付けて放電管を強固に固定するものである。
【００１３】
本発明の請求項６に記載の発明は、請求項１の発明の光源配置部の嵌合穴と嵌合する突起を導光体に設けてなるもので、導光体を強固に取付枠に取付けることが出来る。
【００１４】
本発明の請求項７に記載の発明は、請求項１にかかる発明の取付枠と光源配置部とを一体的に形成してなるもので、より組立工数を少なくすることができる。
【００１５】
本発明の請求項８に記載の発明は、導光体の上面に光拡散版を載置してなる照明装置の取付枠と光源配置部の材料として、金属板にプラスチック層を施してなる複合材料を用いてなるものであり、組立に際して取付枠や光源配置部の内面に光反射部材を貼り付けたり光反射層を施す必要がなく作業性の良い、安価な照明装置を提供できる。
【００１６】
本発明の請求項９に記載の発明は、請求項８の発明の導光体に楔形状のものを用いたもので、この形状の導光体であっても取付枠の材料に複合材を使用することによって作業性の良い照明装置を提供することが出来る。
【００１７】
本発明の請求項１０に記載の発明は、請求項８の発明の導光体として両端部の肉厚が厚く中央部の肉厚が薄い形状のものを使用してなるもので、この形状の導光体であっても取付枠の材料に複合材を使用することによって作業性の良い照明装置を提供することができる。
【００１８】
本発明の請求項１１に記載の発明は、請求項８の発明の導光体に厚みの均一な直方体形状のものを使用してなり、その少なくとも一端に光源を近接配置してなるものであり、この形状の導光体であっても取付枠の材料に複合材を使用することによって作業性の良い照明装置を提供することが出来る。
【００１９】
本発明の請求項１２に記載の発明は、請求項８の発明の光源が直管形の蛍光放電管であり、その両端部に取付けられるゴムホルダーを介して放電管を光源配置部に挟み付けることにより放電管を強固に固定することが出来る。
【００２０】
本発明の請求項１３に記載の発明は、請求項８の発明の光源配置部の嵌合穴と嵌合する突起を導光体に設けてなるもので、導光体を強固に取付枠に取付けることが出来る。
【００２１】
本発明の請求項１４に記載の発明は、請求項８にかかる発明の取付枠と光源配置部とを一体的に形成してなるもので、より組立工数を少なくすることができる。
【００２２】
【実施例】
以下、本発明を図面とともに説明する。
【００２３】
図１は、本発明の第１の実施例である照明装置の分解斜視図であり、１は照明装置の取付枠、２は取付枠に一体成形される光源配置部、３、４は、取付枠に設けられる突起、５は光源が内挿される光源内挿部、６は取付枠１及び光源内挿部５の内面に施されている光反射層、７は光源で有る例えば直管形の冷陰極蛍光放電管、８、９は、放電管７の両端部に取り付けられ放電管端部が挿入されるＲ部分の径が光源内挿部５の高さＨと同等か又は僅かに大きいものであるゴムホルダー、１０は放電管の両端の電極（図示せず）に接続されゴムホルダー８、９より引き出されたリード線、１１は例えばアクリル樹脂で成形されその側面から入射された放電管７の光を上面より光放出させる導光体、１２は導光体上面より放出された光を拡散させる光拡散板、１３は光拡散板の拡散光が矢印の方向に放出するように光放出方向を変更するプリズム板である。
【００２４】
取付枠１は、図２に示すように、アルミやステンレスの金属板１６にナイロン、オレフィン等のプラスチック樹脂層１７を接着することによって施した商品名「アルセット」で販売されているプラスチックー金属の複合材１５を例えばプレスによって図示形状に成形される。
【００２５】
組立に際しては、取付枠の材料である複合材１５をプレス等により成形して形成された図示形状の取付枠１の光源配置部２の光源内挿部５にゴムホルダー８及び９を取り付けた冷陰極蛍光放電管７を保持し、次いで、取付枠１の１４の部分に導光体１１を載置し、更に導光体１１の上面に光拡散板１２及びプリズム板１３を順次に載置し、最後に突起３及び４を取付枠１の内方に折り曲げて導光体１１、光拡散板１２及びプリズム板１３が取付枠１より外れないように取杖枠１に固定して、図３に示すように完成される。図４は図３のＡ−Ａ線の縦断面図を示す。なお、図において、１８は、導光体１１の下面に設けられ導光体の側面より入射した光を導光体に均一に導光するための複数個の溝又は突起である。
【００２６】
図５は、本発明の照明装置の第２の実施例であり、要部のみを斜視図で示したものである。当実施例は、照明装置の中でも比較的容積の大きい導光板１１をより安定させて取付枠１に取付る為の手段を示し、光源配置部２に嵌合穴１９を設け、それに嵌合する突起２０を導光体１１に設けたものであり、突起２０が、嵌合穴１９に嵌合することによってより強く取付枠１に保持されるものである。
【００２７】
図６は、本発明の第３の実施例を示す断面図であり、図において、２１は、前実施例と同様の複合材１５を成形してなる照明装置の取付枠、２２、２３は取付枠と一体的に成形される光源配置部、２４は、図１の楔形状の導光体を厚みの薄い端面部で２個貼り合せたような図示形状の導光体、２５、２６は例えば冷陰極蛍光放電管である光源、２７、２８は、図１で説明したように冷陰極蛍光放電管の両端に取付けられ放電管２５、２６を光源配置部２２、２３に挟みつけて保持するためのゴムホルダーである。当実施例の照明装置は、導光体２４の両端面に放電管２５、２６を配置することによって、導光体から放出される発光輝度を大きくするのに適したものである。
【００２８】
図７は本発明の第４の実施例であり、厚みが均一な直方体形状の導光体の両端に光源を配したものである。図において、２９は前実施例同様の複合材１５を使用し成形してなる取付枠、３０、３１は光源の配置部、３２は厚みが均一な直方体形状の導光体、３３、３４は光源である冷陰極蛍光放電管、３５、３６は冷陰極蛍光放電管３３、３４の端部に取付けられ放電管を前述したように光源配置部に保持するゴムホルダーである。この直方体形状の導光体の場合には、導構体両端に光源を配置しなくても、一端だけに近接配置しても良い。
【００２９】
【発明の効果】
以上述べたように、本発明の照明装置は、従来装置において必要とされていた取付枠や反射傘である光源配置部の内面に光反射部材を貼り付けたり、金属蒸着層による光反射層を施す必要がないので極めて作業性に富み、コストを廉価にすることが出来る。また、光反射部材を貼り付ける作業の際に、ゴミが混入することもなく、光反射部材を貼り付ける際の作業によって光反射面の表面を傷つける危険性も全くない。
【００３０】
本発明の実施例では、光拡散板の上面にプリズム板を載置した照明装置を示したが、最近では導光体の構成によってはプリズム板を不要にした照明装置も提案実施されており、当然此の種の照明装置にも本発明の基本ともいえる複合材を使用した取付枠を適用することは勿論可能である。又、光源として、冷陰極蛍光放電管を用いたが、これも他の熱陰極蛍光放電管を使用しても良いことは勿論である。更に、光反射傘である光源配置部を取付枠に一体形成したが、光源配置部を取付枠と別に形成し、光源配置部を取付枠または導光体に取付けても良い。
【図面の簡単な説明】
【図１】本発明の第１の実施例である照明装置の分解斜視図
【図２】図１の実施例における取付枠の材料の断面図
【図３】図１の分解斜視図の組立完成図
【図４】図３の組立完成図のＡ−Ａ線の縦断面図
【図５】本発明の第２の実施例である照明装置の要部を部分的に示した斜視図
【図６】本発明の第３の実施例である照明装置の断面図
【図７】本発明の第４の実施例である照明装置の断面図
【図８】照明装置の従来例である断面図
【図９】図８の従来例にかかる取付枠と光反射部材を示す斜視図
【符号の説明】
１  取付枠
２  光源配置部
３、４  突起
５  光源内挿部
６  光反射層
７  冷陰極蛍光放電管
８、９  ゴムホルダー
１１  導光体
１２  光拡散板
１３  プリズム板
１５  複合材
１９  嵌合穴
２０  突起
２１  取付枠
２２、２３  光源配置部
２４  導光体
２５、２６  冷陰極蛍光放電管
２７、２８  ゴムホルダー
２９  取付枠
３０、３１  光源配置部
３２  導光体
３３、３４  冷陰極蛍光放電管
３５、３６  ゴムホルダ
【図１】
0004252696.tif 000002
【図２】
0004252696.tif 000003
【図３】
0004252696.tif 000004
【図４】
0004252696.tif 000005
【図５】
0004252696.tif 000006
【図６】
0004252696.tif 000007
【図７】
0004252696.tif 000008
【図８】
0004252696.tif 000009
【図９】
0004252696.tif 000010